(57)【特許請求の範囲】
【請求項１】
光源を有し、ＩＤ情報を持つ複数の照明装置と、
第１通信規格を用いて前記複数の照明装置と通信する中継装置と、
操作画面を有し、第２通信規格を用いて前記中継装置と通信する操作端末と
を備え、
前記第１通信規格は、前記第２通信規格よりも通信距離が長く、
前記中継装置は、前記操作端末から送信された前記複数の照明装置の調整用の設定値を受信した後、当該設定値を前記照明装置に送信し、
前記中継装置は、前記複数の照明装置のうち前記中継装置の通信範囲内にある照明装置を自動的に探索し、探索された照明装置の前記ＩＤ情報を前記操作端末に送信し、
前記操作端末は、前記操作画面に対して、前記中継装置から送信された前記ＩＤ情報を用いて制御対象とする照明装置を選択させる第１ウィジェットを表示する
ことを特徴とする照明システム。
【請求項２】
前記複数の照明装置は、前記第１通信規格に対応した第１通信モジュールを有する
ことを特徴とする請求項１記載の照明システム。
【請求項３】
前記複数の照明装置の少なくとも一つは、前記光源を含む照明器具、並びに、前記照明器具の外部に設けられた前記照明器具を制御する制御部を有し、
前記制御部は、前記第１通信モジュールを内蔵している
ことを特徴とする請求項２記載の照明システム。
【請求項４】
前記複数の照明装置の少なくとも一つは、前記中継装置から送信された前記設定値に基づいて前記光源をオン／オフ制御する
ことを特徴とする請求項１〜３のいずれか１項記載の照明システム。
【請求項５】
前記複数の照明装置の少なくとも一つは、前記中継装置から送信された前記設定値に基づいて前記光源を調光する
ことを特徴とする請求項１〜４のいずれか１項記載の照明システム。
【請求項６】
前記中継装置は、前記第１通信規格に対応した第２通信モジュールと、前記第２通信規格に対応した第３通信モジュールを有する
ことを特徴とする請求項１〜５のいずれか１項記載の照明システム。
【請求項７】
前記中継装置は、前記操作端末から送信された前記複数の照明装置の前記設定値を受信した後、当該設定値を前記複数の照明装置に対して一斉に送信する
ことを特徴とする請求項１〜６のいずれか１項記載の照明システム。
【請求項８】
複数の前記操作端末を備える
ことを特徴とする請求項１〜７のいずれか１項記載の照明システム。
【請求項９】
前記操作端末は、操作画面を有し、前記操作画面に対して、前記複数の照明装置の前記光源のオン／オフ状態又は明るさを共通に設定する第１ウィジェットを表示する
ことを特徴とする請求項１〜７のいずれか１項記載の照明システム。
【請求項１０】
前記操作端末は、インターネット経由でウェブ情報を受信し、前記ウェブ情報に基づいて、前記照明装置の設定値を調整する
ことを特徴とする請求項１〜９のいずれか１項記載の照明システム。
【請求項１１】
前記ウェブ情報は、災害情報であり、
前記操作端末は、前記災害情報に基づいて、前記複数の照明装置の少なくとも一つの光源をオン／オフ制御する前記設定値を前記中継装置に送信する
ことを特徴とする請求項１０記載の照明システム。
【請求項１２】
前記ウェブ情報は、天気情報であり、
前記操作端末は、前記天気情報に基づいて、前記複数の照明装置の少なくとも一つの光源を制御する前記設定値を前記中継装置に送信する
ことを特徴とする請求項１０又は１１記載の照明システム。
【請求項１３】
前記操作端末は、入力された前記ＩＤ情報を持つ照明装置を調整値の設定が可能な前記照明装置として登録する
ことを特徴とする請求項１〜１２のいずれか１項記載の照明システム。
【請求項１４】
前記ＩＤ情報は、バーコード又はＱＲコードであり、
前記操作端末は、前記バーコード又はＱＲコードを読み取りする画像読み取り機能を有する
ことを特徴とする請求項１３記載の照明システム。
【請求項１５】
前記中継装置は、前記複数の照明装置の少なくとも一つの光源をオン／オフ制御する前記設定値を前記照明装置に送信するスイッチを有する
ことを特徴とする請求項１〜１４のいずれか１項記載の照明システム。
【請求項１６】
前記複数の照明装置の少なくとも一つは、前記操作端末が前記中継装置の通信可能範囲に入った場合に前記中継装置から送信された前記設定値に基づいて前記光源をオン／オフ制御する
ことを特徴とする請求項１〜１５のいずれか１項記載の照明システム。
【請求項１７】
前記操作端末は、操作画面を有し、前記操作画面に対して、前記複数の照明装置の少なくとも一つの光源の点灯状態を表示すると共に、当該光源のオン／オフ状態又は明るさを設定する第３ウィジェットを表示する
ことを特徴とする請求項１〜１６のいずれか１項記載の照明システム。
【発明の詳細な説明】
【技術分野】
【０００１】
本発明は、照明システムに関する。
【背景技術】
【０００２】
近年、リモートコントローラによって操作可能な照明器具が多く提案されている（例えば、特許文献１）。実際、リモートコントローラを付属させたシーリングライト等の多くの照明装置が市販されている。
【０００３】
更に、スマートフォン等の多機能端末を所有することが一般的になっている点に注目し、専用のリモートコントローラではなく、このような汎用の多機能端末によって操作可能な照明装置も提案されている。しかし、汎用の多機能端末には、多くの場合、赤外線通信やＢｌｕｅｔｏｏｔｈ（登録商標）といった通信距離が比較的短いモジュールしか搭載されていない。そのため、一般家庭に比べて広範囲に点在する大型店舗等の照明装置を汎用の多機能端末によって制御することは困難である。
【先行技術文献】
【特許文献】
【０００４】
【特許文献１】特開２００２−２８９３６９号公報
【発明の概要】
【発明が解決しようとする課題】
【０００５】
本発明は、広範囲に設置された複数の照明装置を遠隔制御可能な照明システムを提供することを目的とする。
【課題を解決するための手段】
【０００６】
本発明の実施形態に係る照明システムは、光源を有する照明装置である第１照明装置と、第１通信規格を用いて前記照明装置と通信する中継装置と、第２通信規格を用いて前記中継装置と通信する操作端末とを備え、前記第１通信規格は、前記第２通信規格よりも通信距離が長く、前記中継装置は、前記操作端末から送信された前記照明装置の調整用の設定値を受信した後、当該設定値を前記照明装置に送信することを特徴とする。
【発明の効果】
【０００７】
本発明は、広範囲に設置された複数の照明装置を遠隔制御可能な照明システムを提供することができる。
【図面の簡単な説明】
【０００８】
【図１】本発明の実施形態に係る照明システムの概要図である。
【図２】同実施形態に係る照明システムの機能ブロック図である。
【図３】同実施形態に係る照明システムの操作端末の画面表示を示す図である。
【図４】同実施形態に係る照明システムの操作端末の画面表示を示す図である。
【図５】同実施形態に係る照明システムの操作端末の画面表示を示す図である。
【図６】同実施形態に係る照明システムの操作端末の画面表示を示す図である。
【図７】同実施形態に係る照明システムの操作端末の画面表示を示す図である。
【図８】同実施形態に係る照明システムの操作端末の画面表示を示す図である。
【図９】同実施形態に係る照明システムの操作端末の画面表示を示す図である。
【図１０】同実施形態に係る照明システムの操作端末の画面表示を示す図である。
【図１１】同実施形態に係る照明システムの操作端末の画面表示を示す図である。
【図１２】同実施形態に係る照明システムの操作端末の画面表示を示す図である。
【図１３】同実施形態に係る照明システムの操作端末の画面表示を示す図である。
【図１４】同実施形態に係る照明システムの操作端末の画面表示を示す図である。
【図１５】同実施形態に係る照明システムの操作端末の画面表示を示す図である。
【図１６】同実施形態に係る照明システムの操作端末の画面表示を示す図である。
【図１７】同実施形態に係る照明システムの操作端末の画面表示を示す図である。
【図１８】同実施形態に係る照明システムの操作端末の画面表示を示す図である。
【図１９】同実施形態に係る照明システムの操作端末の画面表示を示す図である。
【図２０】同実施形態に係る照明システムの操作端末の画面表示を示す図である。
【図２１】同実施形態に係る照明システムの操作端末の画面表示を示す図である。
【図２２】同実施形態に係る照明システムの操作端末の画面表示を示す図である。
【図２３】同実施形態に係る照明システムの操作端末の画面表示を示す図である。
【図２４】同実施形態に係る照明システムの操作端末の画面表示を示す図である。
【図２５】同実施形態に係る照明システムの操作端末の画面表示を示す図である。
【図２６】同実施形態に係る照明システムの操作端末の画面表示を示す図である。
【発明を実施するための形態】
【０００９】
本発明の実施形態について図面を参照しながら説明する。
先ず、本発明の実施形態に係る照明システムの概要について説明する。
【００１０】
図１は、本実施形態に係る照明システムの概要図である。
本実施形態の照明システムは、光源及び通信モジュールを有する照明装置１０を備える。照明装置１０としては、図１に示すダウンライト１０Ａ〜１０Ｃ、１０Ｈ、及び１０Ｉ、ベースライト１０Ｄ、スポットライト１０Ｅ〜１０Ｇ、１０Ｊ、及び１０Ｋの他、種々の照明装置を利用することができる。照明装置の数は、１つだけでも良いし、図１に示すように複数であっても良い。また、照明装置１０は、ＬＥＤ等の光源を含む照明器具１１と通信モジュール等を含む制御部１２を有する。制御部１２は、ダウンライト１０Ａ〜１０Ｃ、ベースライト１０Ｄ、スポットライト１０Ｊ、及び１０Ｋのように、１つの照明装置１０毎に個別に設けても良いし、スポットライト１０Ｅ〜１０Ｇ、ダウンライト１０Ｈ、及び１０Ｉのように、複数の照明装置１０に共通に設けても良い。このように１つの制御部１２を複数の照明装置１０で共用することで、制御部１２導入に伴うコストの削減を図ることができる。なお、制御部１２に対して種々の照明器具に対応可能な汎用性を持たせても良い。この場合、既存の照明器具や設置済みの照明器具であっても、制御部１２を組み合わせるだけで、本照明システムに容易に導入することができる。
【００１１】
また、本実施形態の照明システムは、照明装置１０の調整用の設定値を設定する操作端末２０と、操作端末２０から送信された設定値を受信し、この設定値を照明装置１０に送信する中継装置３０を備える。操作端末２０としては、図１に示すスマートフォン２０Ａやタブレット２０Ｂの他、中継装置３０との通信が可能な種々の操作端末を利用することができる。操作端末２０の数は、１つだけでも良いし、図１に示すように複数であっても良い。
【００１２】
本実施形態の照明システムの場合、照明装置１０と中継装置３０とは第１通信規格を用いて通信し、中継装置３０と操作端末２０とは、第２通信規格を用いて通信する。ここで、第１通信規格は、第２通信規格よりも通信距離が長い規格であれば良い。以下では、図１に示すように、第１通信規格を１００ｍ程度以上の通信距離を持つＺｉｇＢｅｅ（登録商標）とし、第２通信規格を１０ｍ程度の通信距離を持ちスマートフォン等の操作端末に広く採用されているＢｌｕｅｔｏｏｔｈ（クラス２）（登録商標）とした例について説明する。
【００１３】
次に、本実施形態に係る照明システムの各構成の機能ブロックについて説明する。
【００１４】
図２は、本実施形態に係る照明システムの機能ブロック図である。
照明装置１０は、前述の通り、光源を含む照明器具１１と、照明器具１１の外部に設けられた照明器具１１を制御する制御部１２を有する。制御部１２は、照明器具１１を制御する制御器１３の他、中継装置３０と通信するためのＺｉｇＢｅｅモジュール１４（第１通信モジュール）を内蔵している。このうち制御器１３は、照明装置１０の種類によって異なる。例えば、照明装置１０がスポットライト１０Ｅ〜１０Ｇのように光源をオン／オフさせるだけのオン／オフ型である場合、制御器１３としてリレー等の開閉器を用いることができる。この開閉器は、交流１００Ｖの電源で動作し、ＺｉｇＢｅｅモジュール１４からの信号（設定値）に基づいて、照明器具１１に対して交流１００Ｖを供給／停止する。また、照明装置１０がダウンライト１０Ａ〜１０Ｃのように光源の調光が可能な調光型である場合、制御器１２１としてＰＷＭ調光器を用いることができる。このＰＷＭ調光器は、交流１００Ｖの電源で動作する。そして、照明器具１１に対して交流１００Ｖを供給しつつ、ＺｉｇＢｅｅモジュール１２２からの信号（設定値）に基づき、調光制御用信号線を介して照明器具１１の光源をＰＷＭ制御する。
【００１５】
中継装置３０は、照明装置１０とＺｉｇＢｅｅ（第１通信規格）を用いて通信するためのＺｉｇＢｅｅモジュール３１（第２通信モジュール）、操作端末３２とＢｌｕｅｔｏｏｔｈ（第２通信規格）を用いて通信するためのＢｌｕｅｔｏｏｔｈモジュール３２（第３通信モジュール）、並びに、ＺｉｇＢｅｅモジュール３１及びＢｌｕｅｔｏｏｔｈモジュール３２を制御するマイクロコンピュータ３３（以下、「マイコン」と呼ぶ）を有する。
【００１６】
なお、上記構成の他、中継装置３０には、必要に応じて照明装置１０の点灯／消灯を制御するスイッチ等の操作部を設けても良い。この場合、操作端末２０自身のトラブル、操作端末２０及び中継装置３０との通信トラブルが生じた場合でも、中継装置３０の操作によって照明装置１０の簡単な制御をすることができる。
【００１７】
前述の照明システムによれば、照明装置１０の操作は次のようになる。
【００１８】
始めに、ユーザが操作端末２０の画面を操作し、照明装置１０の調整用の設定値、つまり明るさ、色温度、点灯開始時刻等を設定する。この設定値は、全ての照明装置１０、或いは、複数の照明装置１０で構成されたグループ（以下、「ライトグループ」と呼ぶ）に対して共通であっても良いし、１つの照明装置１０に対してだけ有効であっても良い。
【００１９】
続いて、中継装置３０では、Ｂｌｕｅｔｏｏｔｈモジュール３２は操作端末２００から送信された設定値を受信してマイコン３３に送信する。マイコン３３はこの設定値に基づいて各照明装置１０に設定する設定値を生成する。例えば、図１において、Ｂｌｕｅｔｏｏｔｈモジュール３２が受信した設定値がダウンライト１０Ａ及び１０Ｂに対して共通に有効であった場合、この設定値からダウンライト１０Ａに対する設定値とダウンライト１０Ｂに対する設定値を生成する。そして、生成した設定値をＺｉｇＢｅｅモジュール３１に送信する。ＺｉｇＢｅｅモジュール３１はマイコン３３から受信した設定値を対象となる照明装置１０に送信する。なお、本実施例のように、第１通信規格がＺｉｇＢｅｅである場合、設定値を複数の照明装置１０に対してブロードキャストで一斉に送信することができる。
【００２０】
最後に、照明装置１０では、ＺｉｇＢｅｅモジュール１４が中継装置３０から送信された設定値を受信し、この設定値を制御器１３に送信する。そして、制御器１３がこの設定値に基づいて照明器具１０の明るさ、色温度等を調整する。
【００２１】
次に、本実施形態の照明システムの操作方法について、操作端末の操作画面を例示して説明する。
【００２２】
図３〜１９は、本実施形態に係る照明システムの操作端末の画面表示を示す図である。ここで示す操作画面は、例えば、スマートフォン上で動作するアプリケーションによって表示される。
【００２３】
図３は、アプリケーションの起動後、起動画面表示後に表示されるコントローラ画面である。コントローラ画面は、２ページ有り、図３はその１ページ目となる。このコントローラ画面は、主に現在再生中のタイムライン及びシーンを示す画面である。タイムライン及びシーンについては後述する。図３のコントローラ画面には、以下のウィジェットが表示されている。
【００２４】
ウィジェット１０１：再生中のタイムライン（図３の場合、タイムライン“ＩＩ”）が点灯表示される。
ウィジェット１０２：再生中のシーン（図３の場合、シーン“Ｆ”）が点灯表示される。
ウィジェット１０３（図３の“ＡＬＬ  ＯＦＦ”）：タップすることで、照明システムの全ての照明装置１０がオフ状態になる。
ウィジェット１０４（図３の“ＡＬＬ  ＯＮ”）：タップすることで、照明システムの全ての照明装置１０がオン状態になる。
ウィジェット１０５：操作画面に表示されているコントローラ画面のページが表示される。
ウィジェット１０６：タップすることで、画面表示が図４のコントローラ画面（２ページ目）に切り替わる。
ウィジェット１００（図３の“コントローラ”）：タップすることで、画面表示がコントローラ画面（１ページ目）に切り替わる。
ウィジェット２００（図３の“タイムライン”）：タップすることで、画面表示がタイムライン設定画面に切り替わる。
ウィジェット３００（図３の“シーン”）：タップすることで、画面表示がシーンリスト編集画面に切り替わる。
ウィジェット４００（図３の“ライト”）：タップすることで、画面表示がライトグループ表示画面に切り替わる。
ウィジェット５００（図３の“設定”）：タップすることで、画面表示が本アプリケーションの各種動作を設定する画面に切り替わる。
なお、ウィジェット１００、２００、３００、４００、及び５００は、他の画面表示にも共通に表示される。
【００２５】
図４は、図３のコントローラ画面（１ページ目）のウィジェット１０６をタップすることで表示されるコントローラ画面（２ページ目）である。このコントローラ画面は、再生中のタイムライン及びシーンに関わる照明装置１０の点灯状態を示す画面である。図４のコントローラ画面には、以下のウィジェットが表示される。
【００２６】
ウィジェット１１１：再生中のシーンのラベル（図４の場合、“仕込み  Ｆ”）が表示される。
ウィジェット１１２：再生中のシーンに関わる照明装置１０或いはライトグループのラベル（図４の場合、“０００１  フロアー”、“０００２  フロアー”等）が表示される。なお、ラベルの頭に示されている２つの丸が重なった記号は、ライトグループであることを示すものである。
ウィジェット１１３：ノブを左右にスライドさせると、照明装置１０或いはライトグループの明るさが調整される。なお、調光機能がない照明装置１０或いはライトグループを明確にするために、図４に示すように、ウィジェット１１３を点線で表示させても良いし、異なる色で表示させても良い。ライトグループに対応するウィジェット１１３（第１ウィジェット）は、ライトグループを構成する複数の照明装置の光源のオン／オフ状態又は明るさを共通に設定することができる。
ウィジェット１１４：編集中の照明装置１０或いはライトグループの明るさが表示される。
ウィジェット１１５（図４の“ａｐｐｅａｌ”）：タップすることで、照明装置１０が所定の回数（例えば、４回）だけ点滅を繰り返す。
なお、ウィジェット１１２〜１１５は、シーンに関わる照明装置１０或いはライトグループ毎に用意される。
ウィジェット１１６（図４の“保存”）：タップすることで、編集中の設定値が保存される。これ以降、新たに保存された設定値を用いてシーンが再生される。
ウィジェット１１７（図４の“キャンセル”）：タップすることで、保存前の設定値の編集が取り消される。つまり、以前に保存された設定値を用いてシーンが再生される。
ウィジェット１１８：タップすることで、画面表示が図３のコントローラ画面（１ページ目）に切り替わる。
【００２７】
図５は、図３のコントローラ画面（１ページ目）のウィジェット２００をタップすることで表示されるタイムライン設定画面である。ここで、タイムラインとは、再生するシーンを時間の流れに沿って指定したリストである。リストを構成する各アイテムは、ラベル、実行シーン、実行開始時刻、及び実行曜日で構成される。タイムライン設定画面は、このタイムラインの内容を表示して編集させる画面である。図５のタイムライン設定画面には、以下のウィジェットが表示される。
【００２８】
ウィジェット２０１：編集中のタイムライン（図５の場合、タイムライン“ＩＩ”）が表示される。
ウィジェット２０２：タイムラインのアイテムのラベル（図５の場合、“消灯”、“仕込み”等）が表示される。
ウィジェット２０３：タイムラインのアイテムの実行開始時刻（図５の場合、“０１：３０”、“０３：３０”等）が表示される。
ウィジェット２０４：タイムラインのアイテムの実行曜日（図５の場合、“月火水木金・・”、“・・・・・土日”等）が表示される。
ウィジェット２０５：タイムラインのアイテムの実行シーン（図５の場合、シーン“Ｆ”、シーン“Ｂ”等）が表示される。
ウィジェット２０６（図５の“ａｐｐｅａｌ”）：タップすることで、シーンが所定の時間（例えば、６秒間）だけ再生される。
なお、ウィジェット２０２〜２０６は、タイムラインを構成するアイテム毎に用意される。
ウィジェット２０７（図５の“＋”）：タップすることで、画面表示がアイテムを編集させる図７のタイムラインアイテム編集画面に切り替わる。これによって、編集中のタイムラインに新たなアイテムを追加することができる。なお、タイムラインに新たなアイテムが追加された場合及び既存のアイテムの実行開始時刻が変更された場合には、実行開始時刻に応じてアイテムが自動で並び替えられ表示される。
ウィジェット２０８（図５の“編集”）：タップすることで、画面表示が図６の画面に切り替わる。これによって、アイテムの編集が可能となる。
ウィジェット２０９及び２１０：タップすることで、画面表示が異なるタイムライン（図５の場合、タイムライン“Ｉ”或いは“ＩＩＩ”）に関わるタイムライン設定画面に切り替わる。
【００２９】
図６は、図５のウィジェット２０８をタップすることで表示される変化後のタイムライン編集画面である。このタイムライン編集画面は、タイムラインに対するアイテムの追加／削除させる画面である。図６のタイムライン編集画面には、以下のウィジェットが表示される。
【００３０】
ウィジェット２２１（図６の“＞”）：タップすることで、画面表示が図７のタイムラインアイテム編集画面に切り替わる。
ウィジェット２２２（図６の“−”）：タップすることで、画面表示が図８の画面に切り替わり、ウィジェット２４１（図８の“削除”）が表示される。
ウィジェット２２３（図６の“完了”）：タップすることで、画面表示が図５の画面に切り替わる。
【００３１】
図７は、図５のコントローラ画面（１ページ目）のウィジェット２０７及び図６のタイムライン編集画面のウィジェット２２１をタップすることで表示されるタイムラインアイテム編集画面である。タイムラインアイテム編集画面は、各アイテムのラベル、実行開始時刻、実行シーン、フェード時間、及び実行曜日を編集させる画面である。ここで、フェード時間とは、ある設定値から実行シーンの設定値に徐々に変化させるための時間であり、その変化は例えば実行開始時刻よりもフェード時間前から現れる。図７のタイムラインアイテム編集画面には、以下のウィジェットが表示される。
【００３２】
ウィジェット２３１：編集中のアイテムのラベル（図７の場合、“ディナータイム”）が表示される。タップすることで、画面表示が図２０のラベル編集画面に切り替わる。これによって、アイテムのラベルの編集が可能となる。
ウィジェット２３２：編集中のアイテムの実行開始時刻（図７の場合、“１７：２０”）が表示される。タップすることで、表示がテキスト形式からドラム形式に切り替わる。これによって、実行開始時刻の編集が可能となる。
ウィジェット２３３：編集中のアイテムの実行シーン（図７の場合、シーン“Ａ”）が点灯表示される。所望のシーンのボタンをタップすることで、実行シーンを択一的に編集することができる。なお、シーンの他、照明システムの全ての照明装置をオン／オフする選択も可能である（“ＡＬＬ  ＯＮ”／“ＡＬＬ  ＯＦＦ”）。
ウィジェット２３４：編集中のアイテムのフェード時間（図７の場合、“１０”分フェード）が点灯表示される。所望のフェード時間のボタンをタップすることで、フェード時間を択一的に編集することができる。
ウィジェット２３５：編集中のアイテムの実行曜日（図７の場合、“月”、“火”等）が点灯表示される。実行曜日のボタンをタップすることで、実行曜日を変更することができる。
ウィジェット２３６（図７の“保存”）：タップすることで、編集中の設定値が保存される。これ以降、新たに保存された設定値を用いてアイテムが再生される。
ウィジェット２３７（図７の“キャンセル”）：タップすることで、保存前の設定値の編集が取り消される。つまり、引き続き以前に保存された設定値を用いてアイテムが再生される。
なお、ウィジェット２３６及び２３７をタップすることで、画面表示が図５の画面に切り替わる。
【００３３】
図８は、図６のウィジェット２２２をタップすることで表示される変化後のタイムライン編集画面である。このタイムライン編集画面は、タイムラインからアイテムを削除させる画面である。図８のタイムライン編集画面には、以下のウィジェットが表示される。
【００３４】
ウィジェット２４１（図８の“削除”）：タップすることで、タイムラインからアイテムが削除される。
ウィジェット２４２（図８の“完了”）：タップすることで、画面表示が図６の画面に切り替わる。
【００３５】
図９は、図３のコントローラ画面（１ページ目）のウィジェット３００をタップすることで表示されるシーンリスト編集画面である。ここで、シーンとは、一又は複数の照明装置１０の調整用の設定値が保存されるデータ領域である。このシーンリスト編集画面は、シーンの一覧を表示し編集させる画面である。図９のシーンリスト編集画面には、以下のウィジェットが表示される。
【００３６】
ウィジェット３０１：シーンの一覧がラベル（図９の場合、“ディナータイム”、“モーニングタイム”等）で表示される。シーンのラベルをタップすることで、図１２のシーン編集画面に切り替わる。これによって、シーンの編集が可能となる。
ウィジェット３０２（図９の“再生中”）：再生中のシーンであることを示す。
ウィジェット３０３（図９の“編集”）：タップすることで、画面表示が図１０の画面に切り替わる。これによって、シーンリンスの編集が可能となる。
【００３７】
図１０は、図９のウィジェット３０３をタップすることで表示される変化後のシーンリスト編集画面である。このシーンリスト編集画面は、シーンを初期化させる画面である。図１０のシーンリスト編集画面には、以下のウィジェットが表示される。
【００３８】
ウィジェット３１１（図１０の“＞”）：タップすることで、画面表示が図２０のラベル編集画面に切り替わる。これによって、シーンのラベルの編集が可能となる。
【００３９】
ウィジェット３１２（図１０の“−”）：タップすることで、画面表示が図１１の画面に切り替わり、ウィジェット３２１（図１１の“初期化”）が表示される。
ウィジェット３１３（図１０の“完了”）：タップすることで、画面表示が図９の画面に切り替わる。
【００４０】
図１１は、図１０のウィジェット３１２をタップすることで表示される変化後のシーンリスト編集画面である。このシーンリスト編集画面は、シーンを初期化させる画面である。図１１のシーンリスト編集画面には、以下のウィジェットが表示される。
【００４１】
ウィジェット３２１（図１１の“初期化”）：タップすることで、シーンが初期化される。例えばシーンＦが初期化された場合、ラベルは“シーンＦ”となり、登録されている全ての照明装置１０の明るさが初期値に設定される。なお、ウィジェット３２１がタップされると、画面表示が図９の画面に切り替わる。
ウィジェット３２２（図１１の“完了”）：タップすることで、画面表示が図９の画面に切り替わる。
【００４２】
図１２は、図９のシーンリスト編集画面のウィジェット３０１のシーンのラベルをタップすることで表示されるシーン編集画面である。図１２は、図９のラベル“シーンＤ”をタップした場合の画面である。このシーン編集画面は、シーンに関わる照明装置１０或いはライトグループの明るさを設定させる画面である。図１２のシーン編集画面には、以下のウィジェットが表示される。
【００４３】
ウィジェット３３１：編集中のシーンのラベル（図１２の場合、“シーンＤ”）が表示される。
ウィジェット３３２：編集中のシーンに関わる照明装置１０或いはライトグループのラベル（図１２の場合、“０００１  フロアー”、“０００２  フロアー”等）が表示される。このラベルを長押した後にドラッグすることでラベルの表示場所を入れ替えることができる。
ウィジェット３３３：ノブを左右にスライドさせると、照明装置１０或いはライトグループの明るさが調整される。なお、調光機能がない照明装置１０或いはライトグループを明確にするために、図１２に示すように、ウィジェット３３３を点線で表示させても良いし、異なる色で表示させても良い。
ウィジェット３３４：編集中の照明装置１０或いはライトグループの明るさが表示される。
ウィジェット３３５（図１２の“ａｐｐｅａｌ”）：タップすることで、照明装置１０が所定の回数（例えば、４回）だけ点滅を繰り返す。
なお、ウィジェット３３２〜３３５は、シーンに関わる照明装置１０或いはライトグループ毎に用意される。
ウィジェット３３６（図１２の“保存”）：タップすることで、編集中の設定値が保存される。これ以降、新たに保存された設定値を用いてシーンが再生される。
ウィジェット３３７（図１２の“シーン再生・保存”）：タップすることで、編集中の設定値が保存された後、この保存された設定値を用いてシーンが再生される。
なお、ウィジェット３３６及び３３７をタップすることで、画面表示が図９のシーンリスト編集画面に切り替わる。
ウィジェット３３８（図１２の“＜”）：タップすることで、画面表示が図９のシーンリスト編集画面に切り替わる。
ウィジェット３３９及び３４０：タップすることで、画面表示が異なるシーン（図１２の場合、シーン“Ｃ  ランチタイム”、“Ｅ  シーンＥ”等）に関わるシーン編集画面に切り替わる。
【００４４】
図１３及び１４は、図３のコントローラ画面（１ページ目）のウィジェット４００をタップすることで表示されるライトグループ表示画面である。このライトグループ表示画面は、ライトグループの一覧と、そのライトグループに属する照明装置１０の一覧がラベルで表示される。図１３のライトグループ表示画面には、以下のウィジェットが表示される。
【００４５】
ウィジェット４０１：選択中のライトグループのラベルが表示される。図１３の場合、ライトグループではなく、全ての照明装置１０が選択されているため“全てのライト”と表示されている。一方、図１４の場合、“０００１  フロアー”が選択されているため、“０００１  フロアー”と表示されている。
ウィジェット４０２：選択中のライトグループのラベルが点灯表示される。所望のライトグループのボタンをタップすることで、ライトグループを選択することができる。なお、ライトグループの他、全ての照明装置１０を選択することもできる。また、所望のライトグループのボタンをダブルタップすることで、画面表示が図１７のライトグループ編集画面に切り替わる。これによって、ライトグループに対する照明装置１０の追加／削除が可能となる。
ウィジェット４０３：選択中のライトグループを構成する照明装置１０の一覧がラベル（図１３の場合、“００１  メインルームダウン”、“００２  メインルーム間接光”等）で表示される。照明装置１０のラベルをタップすることで、画面表示が図１５の照明装置詳細表示画面に切り替わる。
ウィジェット４０４：上下にスライドさせることで、ウィジェット４０３が上下にスライドする。選択中のライトグループを構成する照明装置１０が画面に表示し切れない場合に表示される。
ウィジェット４０５（図１３及び１４の“＋”）：タップすることで、画面表示が図１９のラベル編集画面に切り替わる。これによって、新たなライトグループを追加することができる。
ウィジェット４０６（図１３及び１４の“編集”）：タップすることで、画面表示が図１６のライトグループリスト編集画面に切り替わる。これによって、ライトグループの編集／削除が可能となる。
ウィジェット４０７（図１４の“ａｐｐｅａｌ”）：タップすることで、選択中のライトグループを構成する照明装置１０が所定の回数（例えば、４回）だけ点滅を繰り返す。
【００４６】
図１５は、図１３及び１４のライトグループ表示画面のウィジェット４０３の照明装置１０のラベルをタップすることで表示される照明装置詳細表示画面である。この照明装置詳細表示画面は、ラベル、照明装置１０の種類、及びＭＡＣアドレスを表示する画面である。図１５の照明装置詳細表示画面には、以下のウィジェットが表示される。
【００４７】
ウィジェット４１１：照明装置１０のラベル（図１５の場合、“００４  エントランスシーリング”）が表示される。
ウィジェット４１２：オン／オフ型、調光型等、照明装置１０の種類（図１５の場合、“ＯＮ／ＯＦＦ”）が表示される。
ウィジェット４１３：照明装置１０のＭＡＣアドレス（図１５の場合、“ＯＤＥＬＩＣ１１０１０１０１０１”）が表示される。
ウィジェット４１４（図１５の“＞”）：タップすることで、画面表示が図１９のラベル編集画面に切り替わる。これによって、照明装置１０のラベルを編集することができる。
ウィジェット４１５（図１５の“ａｐｐｅａｌ”）：タップすることで、照明装置１０が所定の回数（例えば、４回）だけ点滅を繰り返す。
ウィジェット４１６（図１５の“登録解除”）：タップすることで、照明装置１０の照明システムへの登録が解除される。
ウィジェット４１７：タップすることで、画面表示が図１３及び１４のライトグループ表示画面に切り替わる。
【００４８】
図１６は、図１３及び１４のライトグループ表示画面のウィジェット４０６をタップすることで表示されるライトグループリスト編集画面である。このライトグループリスト編集画面は、登録されているライトグループを編集／削除させる画面である。図１６のライトグループリスト編集画面には、以下のウィジェットが表示される。
【００４９】
ウィジェット４２１（図１６の“＞”）：タップすることで、画面表示が図１９のラベル編集画面に切り替わる。これによって、ライトグループのラベルの編集が可能となる。
ウィジェット４２２（図１６の“−”）：タップすることで、画面表示が図１８の画面に切り替わり、ウィジェット４４１（図１８の“削除”）が表示される。
ウィジェット４２３：登録されているライトグループが画面に表示し切れない場合に表示される。上下にスライドさせることで、ライトグループの一覧が上下にスライドする。登録されているライトグループが画面に表示しきれない場合に表示される。
ウィジェット４２４（図１６の“完了”）：タップすることで、画面表示が図１３又は１４の画面に切り替わる。
【００５０】
図１７は、図１３及び１４のライトグループ表示画面のライトグループのボタンをダブルタップすることで表示されるライトグループリスト編集画面である。このライトグループ編集画面は、ライトグループに対する照明装置１０の追加／削除させる画面である。図１７のライトグループ編集画面には、以下のウィジェットが表示される。
【００５１】
ウィジェット４３１：編集中のライトグループのラベル（図１７の場合、“０００１  フロアー”）が表示される。
ウィジェット４３２：全ての照明装置１０の一覧がラベル（図１７の場合、“００１  メインルームダウン”、“００２  メインルーム間接光”等）で表示される。
ウィジェット４３３：照明装置１０のライトグループへの登録状態が表示される。いずれのライトグループにも属していない場合には４３３ａのように空白、既に編集中のライトグループに属している場合には４３３ｂのようにレ点、既に他のライトグループに属している場合には４３３ｃのように斜線で示されている。空白のウィジェット４３３をタップすることで、レ点が付いてライトグループに照明装置１０が登録される。レ点が付いたウィジェット５２３をタップすることで、空白になってライトグループから照明装置１０の登録が解除される。なお、斜線が付いたウィジェット５２３はタップしても表示は変化せず、照明装置１０のライトグループへの登録はできない。
ウィジェット４３４（図１７の“ａｐｐｅａｌ”）：タップすることで、照明装置１０が所定の回数（例えば、４回）だけ点滅を繰り返す。
ウィジェット４３５：上下にスライドさせることで、照明装置１０の一覧が上下にスライドする。照明システムの照明装置１０が画面に表示し切れない場合に表示される。
ウィジェット４３６（図１７の“保存”）：タップすることで、編集中のライトグループの内容が保存される。これ以降、新たに保存された内容によってライトグループが用いられる。
ウィジェット４３７（図１７の“キャンセル”）：タップすることで、保存前の内容の編集が取り消される。つまり、引き続き以前に保存された内容によってライトグループが用いられる。
【００５２】
図１８は、図１６のウィジェット４２２をタップすることで表示される変化後のライトグループリスト編集画面である。このライトグループリスト編集画面は、登録されているライトグループを削除させる画面である。図１８のライトグループリスト編集画面には、以下のウィジェットが表示される。
【００５３】
ウィジェット４４１（図１８の“削除”）：タップすることで、ライトグループが削除される。
ウィジェット４４２（図１８の“完了”）：タップすることで、画面表示が図１３又は１４のライトグループ表示画面に切り替わる。
【００５４】
図１９は、図１０のシーンリスト編集画面のウィジェット３１１、図１５の照明装置詳細表示画面のウィジェット４１４、及び図１６のライトグループリスト編集画面のウィジェット４２１をタップすることで表示されるラベル編集画面である。このラベル編集画面は、シーン、ライトグループ、照明装置１０のラベルを編集させる画面である。図１９のラベル編集画面には、以下のウィジェットが表示される。
【００５５】
ウィジェット６０１：編集中のラベル（図１９の場合、“００１  メインルームダウン”）が表示される。
ウィジェット６０２：ラベルの編集に使うキーボードである。“確定”ボタンをタップすることで、編集中のラベルが保存される。これ以降、新たに保存されたラベルが用いられる。
ウィジェット６０３：タップすることで、保存前のラベルの編集が取り消される。つまり、引き続き以前に保存されたラベルが用いられる。
【００５６】
次に、以上説明した本実施形態に係る照明システムに適用可能な機能の例を説明する。
【００５７】
始めに、おかえり機能について説明する。
おかえり機能は、端末装置２０が中継装置３０の通信可能範囲に入った場合に自動で照明装置１０或いはライトグループを点灯させる機能である。本機能を有効にしておけば、例えば、帰宅時の防犯に役立つ。
【００５８】
図２０は、おかえり機能に用いるおかえり設定画面である。図２０のおかえり設定画面には、以下のウィジェットが表示される。
【００５９】
ウィジェット７０１：ノブの左右のスライドによって、自動点灯時の照明装置１０等の明るさを設定することができる。
ウィジェット７０２（図２０の“おかえりＯＦＦ”／“おかえりＯＮ”）：タップすることで、照明装置１０等を自動点灯させるか否かを切り替えることができる。表示が“おかえりＯＮ”の場合、対象照明装置１０等がウィジェット７０１で設定された明るさで自動点灯する。
【００６０】
続いて、アンサー機能について説明する。
アンサー機能は、現在の照明装置１０或いはライトグループの点灯状態を端末装置２０の画面に表示する機能である。本機能を用いることで、例えば、１階に居ながら２階、３階に配置された照明装置１０等の点灯状態を確認することができる。
【００６１】
図２１は、アンサー機能に用いるアンサー機能画面である。図２１のアンサー機能画面には、以下のウィジェットが表示される。
【００６２】
ウィジェット８０１：ノブの表示位置によって、照明装置１０等の明るさを表示する。
ウィジェット８０２（図２１の“更新”）：タップすることで、照明装置１０等の現在の表示状態をウィジェット８０１に反映させることができる。
【００６３】
続いて、料金確認機能について説明する。
料金確認機能は、現在の点灯状態に基づいて照明装置１０或いはライトグループに関する目安となる電気料金を端末装置２０の画面に表示する機能である。本機能を用いることで、ユーザは、料金を意識した照明装置１０の設定が可能となる。
【００６４】
図２２は、料金確認機能に用いる料金確認画面である。図２２の料金確認画面には、以下のウィジェットが表示される。
【００６５】
ウィジェット９０１：ノブの表示位置によって、照明装置１０等の明るさを表示する。
ウィジェット９０２：照明装置１０等の明るさに基づいて、照明装置１０等の消費電力を表示する。照明装置１０毎に明るさに応じた消費電力は、例えば、アプリケーションにプリセットされている。
ウィジェット９０３：照明装置１０等の消費電力に基づいて、照明装置１０等に関する例えば１ヶ月間の電気料金の目安を表示する。
【００６６】
続いて、ウェブ情報連動機能について説明する。
ウェブ情報連動機能は、インターネット経由で端末装置２０に入ってきた情報に連動して、照明装置１０或いはライトグループの明るさ、色温度等の設定値を調整する機能である。例えば、災害時に届けられるエリアメール等に連動させ、照明装置１０等を自動点灯させたり、ウェブ上から天気情報を読み取り、その天気に応じて照明装置１０等の点灯状態を変化させたりする。具体的には、照明装置１０がＲＧＢを調整可能な光源を有する場合、明日の天気が晴れならば青で点灯させ、曇りならば黄色で点灯させることもできる。
【００６７】
図２３は、ウェブ情報連動機能に用いる画面であり、ウェブ情報として災害情報を用いる場合の災害情報連動設定画面である。図２３のウェブ情報連動設定画面には、以下のウィジェットが表示される。
【００６８】
ウィジェット１００１：ノブの左右のスライドによって、自動点灯時の照明装置１０等の明るさを設定することができる。
ウィジェット１００２：自動点灯させる時間を設定することができる。例えば、図２３の場合、１８時から朝５時までの間に所定の災害に関するエリアメールが操作端末２０に届いた場合に、ライトグループ“０００１  フロアー”を自動点灯させる。
ウィジェット１００３（図２３の“ＯＦＦ”／“ＯＮ”）：タップすることで、照明装置１０等を災害情報に連動させるか否かを切り替えることができる。表示が“ＯＮ”の場合であって、ウィジェット１００２で設定した時間内にエリアメールが届いた場合、対象照明装置１０等がウィジェット１００１で設定された明るさで自動点灯する。
【００６９】
図２４も、ウェブ情報連動機能に用いる画面であり、ウェブ情報として天気情報を用いる場合の天気情報連動設定画面である。図２４の天気情報連動設定画面には、以下のウィジェットが表示される。
【００７０】
ウィジェット１１０１：ノブの左右のスライドによって、天気情報として晴れの予報であった場合に用いられる照明装置１０等の明るさを設定することができる。
ウィジェット１１０２：ノブの左右のスライドによって、天気情報として雨の予報であった場合に用いられる照明装置１０等の明るさを設定することができる。
ウィジェット１１０３（図２４の“ＯＦＦ”／“ＯＮ”）：タップすることで、照明装置１０等を天気情報に連動させるか否かを切り替えることができる。表示が“ＯＮ”の場合、天気情報に応じて、対象照明装置１０等がウィジェット１１０１及び１１０２で設定された明るさで点灯する。
【００７１】
その他、時間、季節等によって電気料金が変動する場合には、その電気料金の情報をウェブ情報として用いることもできる。この場合、上記電気料金確認機能と連動させることで、ユーザは、より正確な電気料金の目安を知ることができる。
【００７２】
最後に、照明装置登録機能について説明する。
照明装置登録機能は、本照明システムに対する照明装置１２の登録を容易にするものであり、コード登録機能とサーチ登録機能がある。
【００７３】
コード登録機能は、制御部１２に固有に割り当てられるＩＤ情報を操作端末２０に入力することで、本照明システムで制御する照明装置１０の登録を可能にする機能である。この場合、ユーザは照明装置１０のＩＤ等さえ知っていれば良く、登録時に照明装置１０の電源をオンする必要がないため、照明システムに対して照明装置１０を安全に登録することができる。
図２５は、コード登録機能に用いる画面である。
ＩＤ情報としては、シリアル番号、バーコード、ＱＲコード（登録商標）等を利用することができる。例えば、バーコード又はＱＲコードを利用する場合であって、操作端末２０にカメラ機能（画像読み取り機能）が備わっている場合、ＱＲコード等をカメラで読み取ることで、図２５に示すように、操作端末２０の操作画面上にそのＱＲコード等を示すウィジェット１２０１が表示され登録することができる。これによって、ユーザは、煩雑なＩＤ情報の入力作業を素早く行うことができる。
【００７４】
サーチ登録機能は、中継装置３０の通信機能を用いて中継装置３０の通信範囲内にある照明装置１０を自動的にサーチし、操作端末２０にその情報を送信する機能である。
図２６は、サーチ登録機能に用いる画面である。
中継装置３０の通信範囲内に照明装置１０があると、操作端末２０の操作画面上には、図２６に示すように照明装置１０のＩＤ情報（図２６の場合、ＭＡＣアドレス）を示すウィジェット１３０１が表示される。ユーザは、その中から所望の照明装置１０を選択してタップするだけで、本照明システムで制御したい照明装置１０を登録することができる。
コード登録機能の他に、サーチ登録機能を用意しておくことで、照明装置１０のＩＤ情報が分からない場合であっても登録が可能になる。このように、照明装置１０の登録方法を複数用意しておけば、本照明システムへの照明装置の導入をより確実により容易に実現することができる。
【００７５】
以上が、本実施形態に係る照明システムに適用可能な機能の例である。これら機能は、いずれも操作端末２０から照明装置１０の調整用の設定値が中継装置３０に送信されることで実現する。
【００７６】
本実施形態に係る照明システムによれば、操作端末及び照明装置間に操作端末に搭載されている通信機能よりもより長い中継装置を備えることによって、スマートフォン等の汎用的な操作端末であっても、店舗等の比較的広い範囲に設置されている複数の照明装置の遠隔制御が可能となる。
【００７７】
なお、ここまで、発明の実施形態の一例を説明したが、本発明はこれらに限定されるものではなく、発明の趣旨を逸脱しない範囲内において、種々の変更、追加等が可能である。
【符号の説明】
【００７８】
１０・・・照明装置、１１・・・照明器具、１２・・・制御部、１３・・・制御器、１４・・・ＺｉｇＢｅｅモジュール、２０・・・操作端末、３０・・・中継装置、３１・・・ＺｉｇＢｅｅモジュール、３２・・・Ｂｌｕｅｔｏｏｔｈモジュール、３３・・・マイクロコンピュータ、１００〜１０６、１１１〜１１８、２００〜２１０、２２１〜２２３、２３１〜２３７、２４１、２４２、３００〜３０３、３１１〜３１３、３２１、３２２、３３１〜３４０、４００〜４０７、４１１〜４１７、４２１〜４２４、４３１〜４３７、４４１、４４２、５００、６０１〜６０３、７０１、７０２、８０１、８０２、９０１〜９０３、１００１〜１００３、１１０１〜１１０３、１２０１、及び１３０１・・・ウィジェット。
【要約】
【課題】本発明は、複数の照明装置に対して共通の設定値を容易に設定できる照明システム及びその操作端末を提供することを目的とする。
【解決手段】本発明の実施形態に係る照明システムは、光源を有する照明装置である第１照明装置と、第１通信規格を用いて前記照明装置と通信する中継装置と、第２通信規格を用いて前記中継装置と通信する操作端末とを備え、前記第１通信規格は、前記第２通信規格よりも通信距離が長く、前記中継装置は、前記操作端末から送信された前記照明装置の調整用の設定値を受信した後、当該設定値を前記照明装置に送信することを特徴とする。
【選択図】図１【図１】
0005842072.tif 000002
【図２】
0005842072.tif 000003
【図３】
0005842072.tif 000004
【図４】
0005842072.tif 000005
【図５】
0005842072.tif 000006
【図６】
0005842072.tif 000007
【図７】
0005842072.tif 000008
【図８】
0005842072.tif 000009
【図９】
0005842072.tif 000010
【図１０】
0005842072.tif 000011
【図１１】
0005842072.tif 000012
【図１２】
0005842072.tif 000013
【図１３】
0005842072.tif 000014
【図１４】
0005842072.tif 000015
【図１５】
0005842072.tif 000016
【図１６】
0005842072.tif 000017
【図１７】
0005842072.tif 000018
【図１８】
0005842072.tif 000019
【図１９】
0005842072.tif 000020
【図２０】
0005842072.tif 000021
【図２１】
0005842072.tif 000022
【図２２】
0005842072.tif 000023
【図２３】
0005842072.tif 000024
【図２４】
0005842072.tif 000025
【図２５】
0005842072.tif 000026
【図２６】
0005842072.tif 000027